(57)【要約】      （修正有）【課題】複雑な組み立て形状やパターンをユーザーの意図で構成することのできる収納家具兼椅子を提供する。【解決手段】四角筒型、Ｌ字断面の筒型、多角形断面の筒型等の筒部を有する収納家具兼椅子単体の収納家具構成面２及びその底を構成する面に一定間隔で取付け穴１を配し、上下、左右、前後、に収納家具兼椅子単体の方向を一定にもしくは方向を異ならせて連結することにより、ユーザーの意図に従い、複雑な構成及びパターンを形成できるようにする。【選択図】図１
2012024536.tif 000002
【特許請求の範囲】
【請求項１】
ユニット収納家具兼椅子の構成面に一定間隔で取付け用穴を配し必要に応じてビス等で取付け、相互のユニットの多様でより複雑な構成をユーザーが自身の条件に応じてつなぎ合わせ一体の家具を形成する方法。
【請求項２】
図１〜１０のユニット収納家具兼椅子
【請求項３】
図２２、２３の取付金具
【発明の詳細な説明】
【技術分野】
【０００１】本発明は、家具兼椅子と接続方法、構成に関する。
【背景技術】
【０００２】一般的なシステム収納棚は、収納量及び機能等により水平に並べるか若しくは垂直に積み重ねて使用するもの、若しくは、完成形態を製作者の意図により設定されたものに構成するものである。【０００３】ある程度の自由度を持つ物も、少なくとも、立体の構成面は完全に密着させて構成しているものである。
【先行技術文献】
【特許文献】
【０００４】
【特許文献１】  特開平０８−３６６
【特許文献１】  特開平２００５−２３０４７３
【発明の概要】
【発明が解決しようとする課題】
【０００５】しかしながら、上述した従来の接合方法は垂直方法及び水平方向の接続方法であり、自由度は限定的であった。【０００６】本発明は、このような課題を解決するためになされたもので、ユーザーの意思による、ユニット家具のより複雑な接合方法を提供することを目的とする。
【課題を解決するための手段】
【０００７】上記目的を達成するために、本発明は、筒状のユニット家具の側面また、及び底板を用いた場合は底板を含み等間隔に接続穴をあけ、ユーザーの意図、若しくは、必要に応じて、ビスまたはボルト等の留め金具で留め、複雑な形の家具を形成するものである。
【発明の効果】
【０００８】本発明の接続方法を用いることにより、図１１〜図１６の接合方法が可能となり。
多様なパターンを構成することができる。
【図面の簡単な説明】
【０００９】
【図１】  本発明に係る収納家具の第１の実施形態を示す正面図
【図２】  本発明に係る収納家具の第１の実施形態を示す立体図及び底板取付け時の立体図
【図３】  本発明に係る収納家具の第２の実施形態を示す正面図
【図４】  本発明に係る収納家具の第２の実施形態を示す立体図
【図５】  本発明に係る収納家具の第３の実施形態を示す正面図
【図６】  本発明に係る収納家具の第３の実施形態を示す立体図
【図７】  本発明に係る収納家具の第４の実施形態を示す正面図
【図８】  本発明に係る収納家具の第４の実施形態を示す立体図
【図９】  本発明に係る収納家具の第５の実施形態を示す正面図
【図１０】  本発明に係る収納家具の第５の実施形態を示す立体図
【図１１】  本発明に係る収納家具の接合方法パターン１を示す立体図
【図１２】  本発明に係る収納家具の接合方法パターン２を示す立体図
【図１３】  本発明に係る収納家具の接合方法パターン３を示す立体図
【図１４】  本発明に係る収納家具の接合方法パターン４を示す立体図
【図１５】  本発明に係る収納家具の接合方法パターン５を示す立体図
【図１６】  本発明に係る収納家具の接合方法パターン６を示す立体図
【図１３】  本発明に係る収納家具の接合方法パターン３を示す立体図
【図１４】  本発明に係る収納家具の接合方法パターン４を示す立体図
【図１５】  本発明に係る収納家具の接合方法パターン５を示す立体図
【図１６】  本発明に係る収納家具の接合方法パターン６を示す立体図
【図１７】  本発明に係る収納家具の第１の実施形態における接合事例
【図１８】  本発明に係る収納家具の第２の実施形態における接合事例
【図１９】  本発明に係る収納家具の第３の実施形態における接合事例
【図２０】  本発明に係る収納家具の第４の実施形態における接合事例
【図２１】  本発明に係る収納家具の第５の実施形態における接合事例
【図２２】  本発明に係る収納家具の取付金具を示す断面図
【図２３】  本発明に係る収納家具の取付金具を示す立体図
【発明を実施するための形態】
【００１０】本発明の実施形態について図面を参照して説明する。図１に本発明に係る第１の実施形態を示す。図１に於いて１はビス等の取付け穴で、その設置間隔は、１面に対し、面の端部はＬ／２、その他はＬとする。また不定形の形状のものは、外形延長線を設定し同上の間隔の投影位置に設定する。また隣り合う面同士の角度が直角でない場合その面の中で同上の割付間隔で取付け穴を設定する。
【００１１】収納家具本体は木製、ＦＲＰ、金属等で構成されるが構造耐力または、使用上支障がなければその他の材質も含む
【００１２】取付け金具は図２１図２２を用いるが構造耐力または、使用上支障がなければその他の方法も含む
【実施形態の効果】
【００１３】その収納家具相互は図１１〜１４等の組み合わせを可能にし、図１７〜２１等の組み合わせパターンの家具を、設置場所の状態及び構造耐力許容範囲内に於いてユーザーの意図で自由に構成する。
【符号の説明】
【００１３】１    接続穴
１ａ  底板を有する場合の接続穴
２    収納家具構成面
２ａ  底板を有する場合の家具構面
３    家具構成面端部からの接続穴設定距離
４    家具構成面端部以外の接続穴設定距離
５    外形延長線
６    取付金具金属製メス部ヘッド
７    取付金具取外用穴
８    取付け金具オス部ゴム製先端部
９    取付金具金属製軸部
１０  取付金具金属製オス部ヘッド
【図１】
2012024536.tif 000003
【図２】
2012024536.tif 000004
【図３】
2012024536.tif 000005
【図４】
2012024536.tif 000006
【図５】
2012024536.tif 000007
【図６】
2012024536.tif 000008
【図７】
2012024536.tif 000009
【図８】
2012024536.tif 000010
【図９】
2012024536.tif 000011
【図１０】
2012024536.tif 000012
【図１１】
2012024536.tif 000013
【図１２】
2012024536.tif 000014
【図１３】
2012024536.tif 000015
【図１４】
2012024536.tif 000016
【図１５】
2012024536.tif 000017
【図１６】
2012024536.tif 000018
【図１７】
2012024536.tif 000019
【図１８】
2012024536.tif 000020
【図１９】
2012024536.tif 000021
【図２０】
2012024536.tif 000022
【図２１】
2012024536.tif 000023
【図２２】
2012024536.tif 000024
【図２３】
2012024536.tif 000025
【手続補正書】
【提出日】平成22年9月1日(2010.9.1)
【手続補正１】
【補正対象書類名】明細書
【補正対象項目名】０００９
【補正方法】変更
【補正の内容】
【０００９】
【図１】本発明に係る収納家具の第１の実施形態を示す正面図
【図２】本発明に係る収納家具の第１の実施形態を示す立体図及び底板取付け時の立体図
【図３】本発明に係る収納家具の第２の実施形態を示す正面図
【図４】本発明に係る収納家具の第２の実施形態を示す立体図
【図５】本発明に係る収納家具の第３の実施形態を示す正面図
【図６】本発明に係る収納家具の第３の実施形態を示す立体図
【図７】本発明に係る収納家具の第４の実施形態を示す正面図
【図８】本発明に係る収納家具の第４の実施形態を示す立体図
【図９】本発明に係る収納家具の第５の実施形態を示す正面図
【図１０】本発明に係る収納家具の第５の実施形態を示す立体図
【図１１】本発明に係る収納家具の接合方法パターン１を示す立体図
【図１２】本発明に係る収納家具の接合方法パターン２を示す立体図
【図１３】本発明に係る収納家具の接合方法パターン３を示す立体図
【図１４】本発明に係る収納家具の接合方法パターン４を示す立体図
【図１５】本発明に係る収納家具の接合方法パターン５を示す立体図
【図１６】本発明に係る収納家具の接合方法パターン６を示す立体図
【図１７】本発明に係る収納家具の第１の実施形態における接合事例
【図１８】本発明に係る収納家具の第２の実施形態における接合事例
【図１９】本発明に係る収納家具の第３の実施形態における接合事例
【図２０】本発明に係る収納家具の第４の実施形態における接合事例
【図２１】本発明に係る収納家具の第５の実施形態における接合事例
【図２２】本発明に係る収納家具の取付金具を示す断面図
【図２３】本発明に係る収納家具の取付金具を示す立体図